(57)【要約】【課題】遊技の興趣を高めることが可能な遊技機を提供すること。【解決手段】複数の図柄が表示された複数のリールを備える回胴式遊技機であって、前記複数のリールのうち少なくとも１つは、回転軸に垂直方向の断面が、第１の形状と該第１の形状とは異なる第２の形状との間で変形可能であり、前記少なくとも１つのリールを前記第１の形状と前記第２の形状との間で変形させる手段を備える回胴式遊技機。【選択図】図６
2016101250.tif 000002
【特許請求の範囲】
【請求項１】
複数の図柄が表示された複数のリールを備える回胴式遊技機であって、
前記複数のリールのうち少なくとも１つは、回転軸に垂直方向の断面が、第１の形状と該第１の形状とは異なる第２の形状との間で変形可能であり、
前記少なくとも１つのリールを前記第１の形状と前記第２の形状との間で変形させる手段を備える
ことを特徴とする回胴式遊技機。
【請求項２】
前記複数のリールのそれぞれに対応して設けられ、遊技者により操作されたときに対応するリールの回転を停止させる複数の停止操作手段をさらに備え、
前記変形させる手段は、前記複数の停止操作手段の何れかの操作に応じて、前記変形を行う
ことを特徴とする請求項１に記載の回胴式遊技機。
【請求項３】
遊技者により操作されたときに前記複数のリールの回転を開始させる開始操作手段をさらに備え、
前記変形させる手段は、前記開始操作手段の操作に応じて、前記変形を行う
ことを特徴とする請求項１又は２に記載の回胴式遊技機。
【発明の詳細な説明】
【技術分野】
【０００１】
本発明は、回胴式遊技機に関する。
【背景技術】
【０００２】
一般的に、パチスロ機では、スタートレバーが操作されると、大当たりや入賞役の内部抽選が行われ、それぞれ外周面に複数種類の図柄が配列された３つのリールが回転を開始し、リール停止ボタンの操作に応じて各リールが停止し、抽選結果が表示される。近年では、遊技の興趣を高めるために、液晶画面に表示される映像とリール動作を連動させるなど、様々な演出方法が提案されている。
【０００３】
このような演出方法の一つとして、例えば、遊技機のリールとリールとの間に、所定の発光演出を行うことが可能な発光演出装置を設け、遊技者が注視するリール周辺で演出を行うことで遊技の興趣を高める方法が提案されている（特許文献１参照）。
【先行技術文献】
【特許文献】
【０００４】
【特許文献１】特開２０１４−１７１６３２号公報
【発明の概要】
【発明が解決しようとする課題】
【０００５】
しかしながら、遊技機としては、上記した演出方法に限らず、遊技の興趣を向上させる新たな演出方法が常に求められており、遊技機における様々な演出方法の開発が進められている。
【０００６】
本発明は上記に鑑みてなされたものであって、１つの側面では、遊技の興趣を高めることが可能な回胴式遊技機を提供することを目的とする。
【課題を解決するための手段】
【０００７】
本発明の一態様の遊技機によれば、複数の図柄が表示された複数のリールを備える回胴式遊技機であって、前記複数のリールのうち少なくとも１つは、回転軸に垂直方向の断面が、第１の形状と該第１の形状とは異なる第２の形状との間で変形可能であり、前記少なくとも１つのリールを前記第１の形状と前記第２の形状との間で変形させる手段を備える。
【発明の効果】
【０００８】
本発明によれば、１つの側面では、遊技の興趣を高めることが可能な回胴式遊技機が提供される。
【図面の簡単な説明】
【０００９】
【図１】本発明の一実施形態に係るパチスロ機の外観構成を例示する図である。
【図２】本発明の一実施形態に係るパチスロ機の制御系構成を例示する図である。
【図３】本発明の一実施形態に係るリールユニットの外観構成を例示する図である。
【図４】本発明の一実施形態に係るリールの概略構成を例示する側面図である。
【図５】本発明の一実施形態に係るリールの外周形状が変形した様子を例示する図である。
【図６】本発明の一実施形態に係るリールが変形して回転する様子を例示する図である。
【発明を実施するための形態】
【００１０】
以下、図面を参照して発明を実施するための形態について説明する。各図面において、同一構成部分には同一符号を付し、重複した説明を省略する場合がある。
【００１１】
＜遊技機の外観構成＞
図１は、本発明の一実施形態に係るパチスロ機１の外観構成を例示する図である。パチスロ機１は、遊技機の一例であり、メダルを投入してリールを回転させ、入賞判定ライン上のリール停止図柄の組合せに応じてメダルが払い出される。
【００１２】
図１に示されるように、パチスロ機１は、筐体の前面上部に、様々な演出等を表示する液晶画面等の映像表示装置１０が設けられている。また、パチスロ機１は、映像表示装置１０の下方の透明板に、リール（回胴）の図柄表示窓１１と、メダル保有数を表示するためのメダル保有数表示部１２とが設けられている。
【００１３】
図柄表示窓１１には、３つの縦長矩形の図柄表示窓１１ａ、１１ｂ、１１ｃが並設されており、各図柄表示窓１１ａ、１１ｂ、１１ｃの背後には、３個のリール１３ａ、１３ｂ、１３ｃ（以下、リール１３という場合がある）が回転可能に設けられている。
【００１４】
リール１３ａ、１３ｂ、１３ｃは、それぞれ外周面に複数種類の図柄が一周に亘って配列されており、それぞれステッピングモータ（不図示）により同一方向に回転する。リール１３ａ、１３ｂ、１３ｃは、それぞれ回転した後に停止し、各図柄表示窓１１ａ、１１ｂ、１１ｃを介して図柄を表示する。リール１３ａ、１３ｂ、１３ｃは、停止した状態で、それぞれ上中下段に合計３個の図柄を表示する。
【００１５】
リール１３ａ、１３ｂ、１３ｃは、停止した状態で図柄表示窓１１全体に９個の図柄を３行３列に表示する。リール１３ａ、１３ｂ、１３ｃにより表示される図柄において、例えば、水平方向の上中下ラインと、中央の図柄を通る２つの斜めラインとの合計５つのラインが入賞ラインとなる。
【００１６】
図柄表示窓１１の右側には、再遊技、スタート、ウエイト等のプレイ状態を示す表示器１４が設けられている。図柄表示窓１１及び表示器１４の下部は前方に張り出しており、その上面右端にはメダル投入口１５、左端にはＭＡＸＢＥＴボタン１６ａ、１ＢＥＴボタン１６ｂ、２ＢＥＴボタン１６ｃが設けられている。
【００１７】
ＭＡＸＢＥＴボタン１６ａの下方には、開始操作手段としてのスタートレバー装置１７が設けられている。また、スタートレバー装置１７の左下には、精算ボタン１８が設けられている。スタートレバー装置１７の右側には、停止操作手段としての第１リール停止ボタン１９ａ、第２リール停止ボタン１９ｂ、第３リール停止ボタン１９ｃ（以下、リール停止ボタン１９という場合がある）が、それぞれリール１３ａ、１３ｂ、１３ｃに対応する位置に配設されている。
【００１８】
筐体の下部には、メダルの払出し口２０と、受け皿２１とが設けられており、筐体内部に設けられたホッパーユニット（不図示）により排出されたメダルが、払出し口２０から受け皿２１に払い出される。また、受け皿２１の左右には、種々の効果音を出力するスピーカ２２が設けられている。
【００１９】
＜遊技機の制御系構成＞
図２は、本発明の一実施形態に係るパチスロ機１の制御系構成を例示する図である。パチスロ機１には、図２に示されるように、筐体内部に主基板３０及び周辺基板４０が設けられている。
【００２０】
主基板３０は、メイン制御部としての機能を有するメイン制御基板である。主基板３０は、各種演算、パチスロ機１の制御等を行うＣＰＵ３０ａと、パチスロ機１の各種制御プログラムや遊技抽選用の抽選テーブル（大当たり抽選用及び演出抽選用を含む）等を記憶するＲＯＭ３０ｂと、プログラムの作業領域としての又は一時的なデータの記憶等を行う書き換え可能なＲＡＭ３０ｃと、ボタンやスイッチ等からの入力、ＬＥＤ等への出力等を行う入出力部３０ｄと、周辺基板４０にコマンドを送出する送出部３０ｅとを備えている。
【００２１】
周辺基板４０にコマンドを送出する送出部３０ｅは、ＣＰＵ３０ａからのコマンド受付及び送出等を行う機能を有している。主基板３０は、抽選処理、リールユニット５０の制御、周辺基板４０への演出用のコマンドの送出等を行い、遊技機に関する規則、規格等に基づいて動作を行うように構成されている。
【００２２】
周辺基板４０は、サブ制御部としての機能を有するサブ制御基板である。周辺基板４０は、主基板３０から受信した遊技に要するコマンドに応じて演出処理を実行する。周辺基板４０は、演算や映像表示装置１０の制御等を行うＣＰＵ４０ａと、映像表示装置１０、照明装置２３、スピーカ２２の制御を行うプログラムを記憶するＲＯＭ４０ｂと、プログラムの作業領域としての又は一時的なデータの記憶を行う書き換え可能なＲＡＭ４０ｃと、映像表示装置１０の駆動を行うＶＤＰ（Ｖｉｄｅｏ Ｄｉｓｐｌａｙ Ｐｒｏｃｅｓｓｏｒ）４０ｅ、スピーカ２２から音声や効果音を発生するための音源ＩＣ４０ｆ、照明等の駆動を行う入出力部４０ｄとを備えている。
【００２３】
周辺基板４０には、映像表示装置１０、照明装置２３及びスピーカ２２によって様々な演出を行うための、画像データ等を含む演出データがＲＯＭ４０ｂに記憶されている。周辺基板４０は、主基板３０から出力される信号によって、ＲＯＭ４０ｂに記憶されている演出データから演出内容を決定し、ＣＰＵ４０ａがＲＯＭ４０ｂに記憶されている演出プログラムを実行することで演出内容を実現する。
【００２４】
周辺基板４０は、主基板３０において決定された演出内容に基づいて映像表示装置１０、照明装置２３及びスピーカ２２を動作させる。また、周辺基板４０は、リールユニット５０に接続され、リール制御手段として、決定された演出内容にしたがって各リールの動作を制御する。
【００２５】
また、パチスロ機１は、図２に示されるように、入力デバイスとして、ＭＡＸＢＥＴボタン１６ａ、１ＢＥＴボタン１６ｂ、２ＢＥＴボタン１６ｃ、スタートレバー装置１７、第１リール停止ボタン１９ａ、第２リール停止ボタン１９ｂ、第３リール停止ボタン１９ｃが設けられている。
【００２６】
メイン制御部としての主基板３０は、上記した入力デバイスから、入出力部３０ｄを介して入力操作信号を取得する。主基板３０は、例えば、遊技者によりＭＡＸＢＥＴボタン１６ａが押下されると、ＭＡＸＢＥＴボタン１６ａから、入出力部３０ｄを介して入力操作信号を取得する。これにより、主基板３０は、遊技者によりＭＡＸＢＥＴボタン１６ａが押下されたことを検知する。
【００２７】
スタートレバー装置１７は、遊技開始時に遊技者により操作され、各リールの回転及び当選役抽選を実行させる入力操作信号を出力する（以下、単にスタートレバーともいう）。第１リール停止ボタン１９ａは、回転するリール１３ａを停止させ、第２リール停止ボタン１９ｂは、回転するリール１３ｂを停止させ、第３リール停止ボタン１９ｃは、回転するリール１３ｃを停止させるための操作ボタンである。なお、それぞれのリール停止ボタンは、リールの回転速度が一定速度に達した後に操作可能になる。
【００２８】
リールユニット５０は、第１リール駆動部５０ａ−１、第２リール駆動部５０ｂ−１、第３リール駆動部５０ｃ−１を有する。第１リール駆動部５０ａ−１、第２リール駆動部５０ｂ−１、第３リール駆動部５０ｃ−１は、それぞれステッピングモータを備え、リール１３ａ、１３ｂ、１３ｃを回転又は停止させる。また、第１リール駆動部５０ａ−１、第２リール駆動部５０ｂ−１、第３リール駆動部５０ｃ−１は、各リール１３ａ、１３ｂ、１３ｃに設けられているアームを伸縮させることで、各リール１３ａ、１３ｂ、１３ｃを変形させる。
【００２９】
また、リールユニット５０は、第１リール位置センサ５０ａ−２、第２リール位置センサ５０ｂ−２、第３リール位置センサ５０ｃ−２を有する。各リール１３ａ、１３ｂ、１３ｃは、それぞれ第１リール位置センサ５０ａ−２、第２リール位置センサ５０ｂ−２、第３リール位置センサ５０ｃ−２によって検出される回転位置に基づいて、回転及び停止位置が制御される。
【００３０】
＜リールユニットの構成＞
図３は、本発明の一実施形態に係るリールユニット５０の外観構成を例示する図である。
【００３１】
図３に示されるように、リールユニット５０は、収納ラック５１、リール１３ａ、１３ｂ、１３ｃを有する。
【００３２】
収納ラック５１は、パチスロ機１の図柄表示窓１１の背後に設けられ、３つのリール１３ａ、１３ｂ、１３ｃが収納される。
【００３３】
リール１３ａ，１３ｂ，１３ｃは、同様の構成を有し、収納ラック５１に並んで収納され、それぞれ独立して回転及び停止するように設けられている。
【００３４】
リール１３は、図３に示されるように、リールシート１３１、支持フレーム１３３、支持基板１３９を有する。
【００３５】
リールシート１３１は、外周面に複数種類の図柄が配列された帯状のシートである。支持フレーム１３３は、回転軸１３５を中心に回転可能に軸支され、回転軸１３５から放射状に延出する複数のアーム１３７で、リールシート１３１を支持する。支持基板１３９は、支持フレーム１３３を回転駆動させるステッピングモータ（不図示）、リールシート１３１の内周面側に光を照射する照明装置（不図示）を備え、支持フレーム１３３及びリールシート１３１を回転可能に保持する。支持基板１３９は、リール１３が収納ラック５１に収納された状態で、収納ラック５１に固定支持される。
【００３６】
＜リールの構成＞
図４は、本発明の一実施形態に係るリール１３の概略構成を例示する側面図である。
【００３７】
図４に示されるように、リール１３は、リールシート１３１、支持フレーム１３３を有する。
【００３８】
リールシート１３１は、外周面に複数種類の図柄が配列された帯状のシートであり、支持フレーム１３３によって略円筒形状に支持され、支持フレーム１３３と共に回転する。リールシート１３１は、後述するように支持フレーム１３３のアーム１３７の伸縮により様々な形状に変化できるように、少なくとも周方向に伸縮可能な材料で形成されることが好ましい。
【００３９】
支持フレーム１３３は、回転軸１３５、複数のアーム１３７、各アーム１３７の端部に設けられるフレーム１３８を有する。
【００４０】
回転軸１３５は、支持基板１３９に設けられているステッピングモータに接続されて回転可能に支持される。アーム１３７は、それぞれ回転軸１３５から放射状に延出し、回転軸１３５とは反対側の端部がフレーム１３８を介してリールシート１３１の内周面に当接する。また、アーム１３７は、例えば第１リール駆動部５０ａ−１等に制御されて駆動する電動アクチュエータを備え、それぞれ図４に示される矢印方向に伸縮可能に設けられている。フレーム１３８は、可撓性の材料で形成された部材であり、アーム１３７の先端部に設けられてリールシート１３１の内周面に当接し、リールシート１３１を支持する。
【００４１】
本実施形態に係るリール１３は、第１方向に伸縮するアーム１３７ａ、１３７ｃ、第１方向に直交する第２方向に伸縮するアーム１３７ｂ，１３７ｄを有し、各アーム１３７が伸縮することでリールシート１３１の外周形状が変化する。
【００４２】
パチスロ機１では、所定数のコインが投入されてスタートレバーが操作されたときに、主基板３０で大当たり及び演出の抽選が行われ、演出の抽選結果を示す信号を受信した周辺基板４０のＣＰＵ４０ａによって、リールユニット５０のリール駆動部が制御され、演出内容に従ってアーム１３７が伸縮する。
【００４３】
例えば、アーム１３７ａ、１３７ｂ、１３７ｃ、１３７ｄが全て同じ長さに制御されると、図４に示されるように、リールシート１３１は外周形状が真円状になるように支持される。
【００４４】
また、図４に示される状態から、例えばアーム１３７ａ、１３７ｃが伸長し、アーム１３７ｂ、１３７ｄが縮小するように制御されると、図５（Ａ）に示されるように、外周形状が楕円状になるようにリールシート１３１が支持される。同様に、例えばアーム１３７ａ、１３７ｃが縮小し、アーム１３７ｂ、１３７ｄが伸長するように制御されると、図５（Ｂ）に示されるように、外周形状が楕円状になるようにリールシート１３１が支持される。
【００４５】
アーム１３７ａ、１３７ｂ、１３７ｃ、１３７ｄは、これらのうち１つが他と比べて伸長又は縮小するように制御されてもよく、それぞれ異なる長さに制御されてもよい。このようにアーム１３７ａ、１３７ｂ、１３７ｃ、１３７ｄが伸縮し、リールシート１３１の外周形状が変化することで、リール１３が変形する。
【００４６】
また、支持フレーム１３３のアーム１３７の数や配置等といった構成は、本実施形態において例示される構成に限られない。例えば、支持フレーム１３３に設けられるアーム１３７の数は１つ又は複数であってもよい。また、複数のアーム１３７は、伸縮可能なものと伸縮できないものとを含んで構成されてもよい。
【００４７】
リール１３は、上記した構成を有し、アーム１３７が伸縮してリールシート１３１の外周形状が変化する。例えば、リールシート１３１が、図４に示される真円形状から、図５（Ａ）又は（Ｂ）に示される楕円形状に変化すると、遊技者の視点２からリールシート１３１の表面までの距離が変化する。
【００４８】
図６は、本発明の一実施形態に係るリール１３が変形して回転する様子を例示する図である。
【００４９】
図６に示されるように、リールシート１３１が真円形状の状態でリール１３が回転すると、遊技者の視点２とリールシート１３１の表面との距離Ｄａは一定に保たれる。これに対して、リールシート１３１が真円形状から楕円形状に変化してリール１３が回転すると、遊技者の視点２とリールシート１３１の表面との距離は、図６に示される最小値Ｄｂから最大値Ｄｃまでの間で周期的に変動することとなる。
【００５０】
このように、例えばリール１３の回転中に、リールシート１３１の外周形状が真円形状から楕円形状に変化すると、遊技者の視点２とリールシート１３１の表面との距離が周期的に変動し、遊技者はリール１３が変形したことを認識できる。また、リール１３が楕円形状以外に変形した場合であっても、遊技者の視点２とリールシート１３１の表面との距離が周期的に変動することで、遊技者はリール１３が変形したことを認識できる。また、遊技者は、リール１３の変形を認識できなくても、リール１３に生じた何らかの変化を感じることができる。
【００５１】
パチスロ機１では、遊技の演出内容に応じて上記したようにリール１３が変形することで、遊技者に多様な楽しみ方を提供することが可能になっている。
【００５２】
また、本実施形態に係るリール１３では、支持フレーム１３３に設けられている伸縮可能なアーム１３７は、回転軸１３５とは反対側の端部が、リールシート１３１に形成されているボーナス図柄に対応する位置に当接するように設けられている。
【００５３】
このような構成により、リールシート１３１のボーナス図柄に対応する位置に設けられたアーム１３７が伸長するように制御されると、ボーナス図柄が他の図柄よりも突出するようにリールシート１３１の形状が変化する。リール１３がこのように変形すると、遊技者からはボーナス図柄が他の図柄よりも大きく見えるため、ボーナス図柄の目押しを容易に行うことが可能になる。
【００５４】
なお、本実施形態に係るパチスロ機１では、３つのリール１３ａ、１３ｂ，１３ｃ全てがそれぞれ独立して変形可能に設けられているが、３つのリール１３ａ、１３ｂ，１３ｃのうち１つ又は２つが変形可能な構成であってもよい。
【００５５】
＜リール変形演出例＞
次に、本実施形態に係るパチスロ機１におけるリール１３の変形演出について、具体的事例を挙げて説明する。
【００５６】
パチスロ機１における遊技は、次の手順で進められる。まず、遊技者は、コインをベットした後にスタートレバーを操作する。パチスロ機１は、スタートレバーの操作を契機として、入賞役の内部抽選を行うと共に、リール１３の回転を開始する。遊技者は、リール停止ボタン１９を押下して、対応するリール１３を停止させる。パチスロ機１は、入賞判定ライン上の停止図柄の組み合わせに応じてメダルの払い出しを行う。遊技者は、上記した手順を繰り返し行うことで遊技を進めていく。
【００５７】
このように進められるパチスロ機１の遊技において、例えば以下のようにリール１３の変形演出が行われる。
【００５８】
（例１）
パチスロ機１では、例えば、スタートレバーが操作された時に、主基板３０において決定された演出内容に応じて、例えば回転を開始した３つのリール１３の少なくとも１つが周辺基板４０によって変形するように制御される。
【００５９】
遊技者は、スタートレバー操作後に回転を開始したリール１３が変形しているのを見て、ボーナス当選への期待感を抱きながら遊技を行うことができる。このようなスタートレバー操作時におけるリール１３の変形演出は、ボーナス当選時の告知演出として用いられてもよく、ボーナス外れ時のハズレ演出として用いられてもよい。実際にはボーナスの内部抽選に当選していない場合であっても、リール１３が変形することで、遊技者のボーナスへの期待感を煽ることができる。
【００６０】
また、パチスロ機１は、変形するリール１３の数で、ボーナス当選の信頼度を表現してもよい。例えばスタートレバー操作時に、ボーナス当選確率１００％の演出としてリール１３の全てを変形させ、ボーナス当選確率７５％の演出として２つのリール１３を変形させ、ボーナス当選確率５０％の演出として１つのリール１３を変形させる。遊技者は、スタートレバー操作後に変形するリール１３の数に応じて、期待感を高めながら遊技を継続できる。
【００６１】
（例２）
また、パチスロ機１では、例えば、リール停止ボタンが押下された時に、主基板３０において決定された演出内容に応じて、例えば３つのリール１３の少なくとも１つが周辺基板４０によって変形するように制御される。
【００６２】
例えば、スタートレバーが操作されてリール１３が回転開始した後に、遊技者が何れかのリール停止ボタン１９を押下して対応するリール１３を停止させた時に、他の２つのリール１３の少なくとも一方が変形するように制御される。また、例えば、遊技者が、リール停止ボタン１９を押下して３つのリール１３のうち２つ目を停止させた時に、残り１つのリール１３が変形するように制御される。
【００６３】
遊技者は、回転するリール１３が変形しているのを見て、ボーナス当選への期待感を抱きながら遊技を行うことができる。このようなリール停止ボタン押下時におけるリール１３の変形演出は、ボーナス当選時の告知演出として用いられてもよく、ボーナス外れ時のハズレ演出として用いられてもよい。実際にはボーナスの内部抽選に当選していない場合であっても、リール１３が変形することで、上記した例１と同様に、遊技者のボーナスへの期待感を煽ることができる。
【００６４】
また、パチスロ機１は、リール１３が変形するタイミング及び数で、ボーナス当選の信頼度を表現してもよい。例えばリール停止ボタンを押下してリール１３の１つ目を停止させた時に、ボーナス当選確率５０％の演出として回転中の２つのリール１３の一方を変形させ、ボーナス当選確率７５％の演出として回転中の２つのリール１３を変形させる。また、続けてリール停止ボタンを押下してリール１３の２つ目を停止させた時に、ボーナス当選確率１００％の演出として回転中の残り１つのリール１３を変形させる。遊技者は、リール停止ボタン押下時にリール１３が変形するタイミング及び数に応じて、期待感を高めながら遊技を継続できる。
【００６５】
（例３）
また、パチスロ機１では、例えば、高確率状態の演出又はボーナスの前兆演出として、例えばスタートレバー操作時又はリール停止ボタン押下時に、主基板３０において決定された演出内容に応じて、例えば３つのリール１３の少なくとも１つが周辺基板４０によって変形するように制御される。
【００６６】
パチスロ機１では、例えば高確率や前兆等、特定の内部状態に遷移した場合に、複数ゲームに渡って連続的又は断続的に、スタートレバー操作時又はリール停止ボタン押下時に、３つのリール１３の少なくとも１つが変形するように制御される。遊技者は、頻繁に変形するリール１３から、現在の遊技が高確率や前兆等、特定の内部状態に遷移したことを認識し、高確率状態の継続やボーナス当選への期待感を高めながら遊技を継続できる。
【００６７】
なお、パチスロ機１におけるリール１３の変形演出は、上記した例１〜例３に限られるものではなく、上記した例１〜例３とは異なる操作やタイミングでリール１３が変形するように制御されてもよい。また、リール１３が変形する形状は、リール１３の支持フレーム１３３に設けられている複数のアーム１３７の少なくとも１つが伸縮して変形可能な形状であれば、真円形状から楕円形状への変形に限られるものではない。
【００６８】
＜総括＞
以上で説明したように、本実施形態に係るパチスロ機１では、遊技中に任意のタイミングで複数のリール１３の少なくとも１つが変形する。このようにリール１３が変形可能に設けられていることで、パチスロ機１では、従来に無い新しい演出を行うことが可能になり、遊技の興趣を向上させることができる。
【００６９】
パチスロ機１では、ボーナス等の内部抽選結果に応じてスタートレバー操作時やリール停止ボタン押下時に変形するリール１３により遊技の興趣が向上され、遊技者がボーナス等への期待感を抱きながら飽きることなく遊技できるようになる。
【００７０】
なお、本発明の好適な実施の形態により、特定の具体例を示して本発明を説明したが、特許請求の範囲に定義された本発明の広範な趣旨及び範囲から逸脱することなく、これら具体例に様々な修正及び変更を加えることができることは明らかである。すなわち、具体例の詳細及び添付の図面により本発明が限定されるものと解釈してはならない。
【符号の説明】
【００７１】
１  パチスロ機（回胴式遊技機）
１３  リール
１７  スタートレバー装置
１９  リール停止ボタン
３０  主基板
４０  周辺基板
５０  リールユニット
１３１  リールシート
１３７  アーム
１３３  支持フレーム
【図１】
2016101250.tif 000003
【図２】
2016101250.tif 000004
【図３】
2016101250.tif 000005
【図４】
2016101250.tif 000006
【図５】
2016101250.tif 000007
【図６】
2016101250.tif 000008